(57)【特許請求の範囲】
【請求項１】
一端にフランジ状頭部を有し、他端に雄ネジ部を有し、しかも、その両者の中間部が雄ネジ部より細い貫通軸部とされた固定ビスと、この固定ビスを回転自在に貫通させた貫通孔を有する付属ユニットと、この付属ユニットが前記固定ビスによって連結固定される本体ユニットと、から構成される電気機器において、
前記付属ユニットを第１の部材と第２の部材とで構成することにより前記貫通孔を中心軸方向で第１の部材の貫通孔部と第２の部材の貫通孔部との２つの部分に分け、かつ、前記固定ビスは、それら２つの貫通孔部の中心軸を合わせた状態で前記貫通孔に回転自在に貫通させてあり、
前記付属ユニットの第１の部材と第２の部材とのそれぞれに設けられた第１の部材側のビス穴と第１の部材側のビス穴とのそれぞれの中心軸が重なることによって前記第１の部材の貫通孔部の中心軸と前記第２の部材の貫通孔部の中心軸とがずれるように構成されていて、
中心軸が重なっている第１の部材側のビス穴と第２の部材側のビス穴とに連結ビスが締め込まれてそれらの第１の部材と第２の部材とが固定されていると共に、第１の部材の貫通孔部の中心軸と前記第２の部材の貫通孔部の中心軸とがずれることによって第１の貫通孔部と第２の貫通孔部との重なり部分に第２の貫通孔部によって段部が形成され、その段部に前記固定ビスの雄ネジ部が当たることによってその固定ビスの抜け落ちが防止されていることを特徴とする電気機器。
【発明の詳細な説明】
【０００１】
【発明の属する分野】
本発明は、家庭用産業用の電子機器、通信機器を含む広範囲な電気機器に対して、本体及び付属ユニットから構成されるものに関する。
【０００２】
【従来の技術】
第１の従来技術の例は、、本体ユニットとそれにオプションとして付加的に固定可能なチューナユニット等の付属ユニットとからなる電気機器がある。この種の電気機器は、オプションとして固定するユニットを種々に取換えることにより色々な機能を楽しめるメリットがあるが、オプションユニットを手軽に取付け取外しができるように固定手段に特別な工夫が要る。つまり、該本体ユニットと該付属ユニットを固定する手段として、通常のビスを用いれば、該本体ユニットと該付属ユニットを取り外して分離させた時、該ビスが抜け落ちて無くすおそれがあった。
【０００３】
そこで、第２の従来技術は、上記欠点を克服する為に次のようなビスの抜け止めを設けた。一端がフランジ状頭部を有し、他端に雄ネジ部を有するビスを筐体のネジ溝が無い貫通孔部に締め込むことによりネジ切りさせながら貫通させて、該雄ネジ部を該筐体に引っ掛けることにより抜け落ちを防止する。
【０００４】
詳しく説明すると、図８の様に貫通孔（１４）を有する第１の部材（９）と貫通雌ネジ部（１５）を有する第２の部材（１０）とからなる第１のユニット（１３）において、第２の部材（１０）の貫通雌ネジ部（１５）にビス（１１）の雄ネジ部（１２）を締め込んで貫通させることにより、雄ネジ部（１２）を第２の部材（１０）の貫通雌ネジ部（１５）に引っ掛けてビス（１１）の抜け落ちを防止する構造である。
【０００５】
【発明が解決しようとする課題】
しかし、従来の機構では、筐体に雄ネジ部を締め込んで行く為、筐体に貫通雌ネジ部が必要になり、また、ビスを工具等を用いて締め込む為、組み立てるのに手間がかかるので、作業効率が高く量産に適するビスの抜け止め構造が望まれていた。
【０００６】
【課題を解決するための手段】
上記、課題点を解決する為に本発明は、一端にフランジ状頭部を有し、他端に雄ネジ部を有し、しかも、その両者の中間部が雄ネジ部より細い貫通軸部とされた固定ビスと、この固定ビスを回転自在に貫通させた貫通孔を有する付属ユニットと、この付属ユニットが前記固定ビスによって連結固定される本体ユニットと、から構成される電気機器において、前記付属ユニットを第１の部材と第２の部材とで構成することにより前記貫通孔を中心軸方向で第１の部材の貫通孔部と第２の部材の貫通孔部との２つの部分に分け、かつ、前記固定ビスは、それら２つの貫通孔部の中心軸を合わせた状態で前記貫通孔に回転自在に貫通させてあり、前記付属ユニットの第１の部材と第２の部材とのそれぞれに設けられた第１の部材側のビス穴と第１の部材側のビス穴とのそれぞれの中心軸が重なることによって前記第１の部材の貫通孔部の中心軸と前記第２の部材の貫通孔部の中心軸とがずれるように構成されていて、中心軸が重なっている第１の部材側のビス穴と第２の部材側のビス穴とに連結ビスが締め込まれてそれらの第１の部材と第２の部材とが固定されていると共に、第１の部材の貫通孔部の中心軸と前記第２の部材の貫通孔部の中心軸とがずれることによって第１の貫通孔部と第２の貫通孔部との重なり部分に第２の貫通孔部によって段部が形成され、その段部に前記固定ビスの雄ネジ部が当たることによってその固定ビスの抜け落ちが防止されている、という構造にする。
【０００７】
【発明の実施の形態】
以下、ポータブルビデオＣＤに適用した例を図面に基づいて説明する。但し、同符号は、同様のものを表すものとする。図１に示したものは、ポータブルビデオＣＤにオプションユニットを取り付けた時の斜視図である。（１）は第１のユニットとしてのポータブルビデオＣＤ本体、（２）は第２のユニットとしてのオプションユニット（ＴＶチューナユニット）、（３）は該ポータブルビデオＣＤ本体（１）と該オプションユニット（２）とを連結固定する為の固定ビスである。前記第１のユニットとしてのポータブルビデオＣＤ本体（１）は本発明に係る本体ユニットに相当し、前記第２のユニットとしてのオプションユニットは本発明に係る付属ユニットに相当している。
【０００８】
図２は、オプションユニット（２）の斜視図である。（３）は前記ポータブルビデオＣＤ本体（１）と前記オプションユニット（２）とを連結固定する為の固定ビスである。
【０００９】
また、Ａ−Ａにおける断面図を図３に示す。（２）はオプションユニット、（２ａ）はオプションユニット（２）を構成する第１の部材、（２ｂ）はオプションユニット（２）を構成する第２の部材、（３）はポータブルビデオＣＤ本体（１）とオプションユニット（２）とを連結固定する為の固定ビス、（４）はオプションユニット（２）の第１の部材（２ａ）と第２の部材（２ｂ）を組立て時に連結する連結用ビス（８）のねじ込み用ビス穴である。
【００１０】
図４は、固定ビス（３）の正面図である。固定ビス（３）は、フランジ状頭部（５）、貫通軸部（６）、雄ネジ部（７）の３つの部分より構成されており、貫通軸部（６）がフランジ状頭部（５）と雄ネジ部（７）の間に配置されている。また、雄ネジ部（７）の径φ1 は、貫通軸部（６）の径φ2 よりも大きく設定されている。つまり、φ1 ＞φ2 となる。
【００１１】
次に、固定ビス（３）の取付を図５〜図７に示す。図５に示す様に、固定ビス（３）を挿入する時は、オプションユニット（２）の第１の部材（２ａ）の貫通孔部の中心軸Ｏ1
と第２の部材（２ｂ）の貫通孔部の中心軸Ｏ2 を図の様に合わせ雄ネジ部（７）を第２の部材（２ｂ）に貫通させる。この時、オプションユニット（２）の第１の部材（２ａ）のビス穴（４ａ）の中心軸Ｏ3 と第２の部材（２ｂ）のビス穴（４ｂ）の中心軸Ｏ4 は、図の様にずれている。
【００１２】
次に、図６に示す様に、オプションユニット（２）の第１の部材（２ａ）の貫通孔部の中心軸Ｏ1 と第２の部材（２ｂ）の貫通孔部の中心軸Ｏ2 のどちらかをΔｒだけずらす。このΔｒは、次式により表される。
０＜Δｒ≦（ｒ−φ2 ）／２
但し、ｒ：貫通孔部の直径、φ2 ：固定ビス（３）の貫通軸部（６）の径
【００１３】
この時は、オプションユニット（２）の第１の部材（２ａ）のビス穴（４ａ）の中心軸Ｏ3 と第２の部材（２ｂ）のビス穴（４ｂ）の中心軸Ｏ4 は、図の様に重なっている。
【００１４】
従って、図７に示す様に、固定ビス（３）の雄ネジ部（７）が、オプションユニット（２）の第２の部材（２ｂ）の段部（２ｃ）に当たることにより固定ビス（３）の抜け落ちを防止している。
【００１５】
そして、連結ビス（８）をビス穴（４）に締め込むことにより、オプションユニット（２）の第１の部材（２ａ）と第２の部材（２ｂ）を固定している。
【００１６】
【発明の効果】
上記に説明したように本発明は、一端にフランジ状頭部を有し、他端に雄ネジ部を有し、しかも、その両者の中間部が雄ネジ部より細い貫通軸部とされた固定ビスと、この固定ビスを回転自在に貫通させた貫通孔を有する付属ユニットと、この付属ユニットが前記固定ビスによって連結固定される本体ユニットと、から構成される電気機器において、前記付属ユニットを第１の部材と第２の部材とで構成することにより前記貫通孔を中心軸方向で第１の部材の貫通孔部と第２の部材の貫通孔部との２つの部分に分け、かつ、前記固定ビスは、それら２つの貫通孔部の中心軸を合わせた状態で前記貫通孔に回転自在に貫通させてあり、前記付属ユニットの第１の部材と第２の部材とのそれぞれに設けられた第１の部材側のビス穴と第１の部材側のビス穴とのそれぞれの中心軸が重なることによって前記第１の部材の貫通孔部の中心軸と前記第２の部材の貫通孔部の中心軸とがずれるように構成されていて、中心軸が重なっている第１の部材側のビス穴と第２の部材側のビス穴とに連結ビスが締め込まれてそれらの第１の部材と第２の部材とが固定されていると共に、第１の部材の貫通孔部の中心軸と前記第２の部材の貫通孔部の中心軸とがずれることによって第１の貫通孔部と第２の貫通孔部との重なり部分に第２の貫通孔部によって段部が形成され、その段部に前記固定ビスの雄ネジ部が当たることによってその固定ビスの抜け落ちが防止されている、という構成を採用したために、固定ビスの取り付けを容易に行なうことができる。また、固定ビスの抜け落ちを確実に防止することができ、紛失を無くすことができる。
【図面の簡単な説明】
【図１】  ポータブルビデオＣＤにオプションユニットを取り付けた時の斜視図
【図２】  オプションユニットの斜視図
【図３】  図２におけるＡ−Ａ断面図
【図４】  固定ビスの正面図
【図５】  固定ビスの挿入時の断面図
【図６】  第１の部材と第２の部材の貫通孔の中心軸位置をずらした断面図
【図７】  固定ビスの挿入後の断面図
【図８】  従来の構造を示す断面図
【符号の説明】
１．ポータブルビデオＣＤ本体（本体ユニット）
２．オプションユニット（付属ユニット）
２ａ．第１の部材
２ｂ．第２の部材
２ｃ．段部
３．固定ビス
４．ビス穴
４ａ．第１の部材側のビス穴
４ｂ．第２の部材側のビス穴
５．フランジ状頭部
６．貫通軸部
７．雄ネジ部
Ｏ1 、Ｏ2 ．２つの貫通孔部の中心軸
Ｏ3 、Ｏ4 ．ビス穴の中心軸
８．連結ビス
【図１】
0003769743.tif 000002
【図２】
0003769743.tif 000003
【図３】
0003769743.tif 000004
【図４】
0003769743.tif 000005
【図５】
0003769743.tif 000006
【図６】
0003769743.tif 000007
【図７】
0003769743.tif 000008
【図８】
0003769743.tif 000009